(57)【要約】【課題】つなぎ目のないハンドストラップを得るとともに、重量のある携行品にも使用できるようにする。【解決手段】取り付け対象に取り付けられる取り付け部材１２と、手に保持されるストラップ本体１３を備えたハンドストラップ１１において、ストラップ本体１３を、取り付け部材１２側に位置する基端部３１と、取り付け部材１２と反対側に位置する把持部３２で構成する。基端部３１の取り付け部材１２側の一端には、取り付け部材１２と反対側の他端から入れた取り付け部材１２を保持する保持部３３を形成し、他端には突片部３４を形成する。把持部３２は突片部３４に対して一体成形して形成する。【選択図】図２
2019118415.tif 000002
【特許請求の範囲】
【請求項１】
取り付け対象に取り付けられる取り付け部材と、手に保持されるストラップ本体を備えたハンドストラップであって、
前記ストラップ本体が、前記取り付け部材側に位置する基端部と、前記取り付け部材と反対側に位置する把持部で構成され、
前記基端部の前記取り付け部材側の一端に、前記取り付け部材と反対側の他端から入れた前記取り付け部材を保持する保持部が形成されるとともに、前記他端に突片部が形成され、
前記把持部が、前記突片部に対して一体成形された
ハンドストラップ。
【請求項２】
前記突片部に、貫通する切欠きまたは表面から突出する突起の少なくともいずれか一方が形成された
請求項１に記載のハンドストラップ。
【請求項３】
前記基端部が前記他端側を二股状に開いた形状であり、
前記保持部よりも前記他端側の位置に、前記取り付け部材を入れる導入路が形成された
請求項１または請求項２に記載のハンドストラップ。
【請求項４】
前記導入路の少なくとも一部に、保持した前記取り付け部材の脱落を阻止する隘路部が形成された
請求項３に記載のハンドストラップ。
【請求項５】
前記把持部が、閉じられた偏平な環状である
請求項１から請求項４のうちいずれか一項に記載のハンドストラップ。
【請求項６】
前記基端部が硬質の合成樹脂で形成され、前記把持部が軟質の合成樹脂で形成された
請求項１から請求項５のうちいずれか一項に記載のハンドストラップ。
【請求項７】
前記取り付け部材が、前記基端部の前記保持部に保持される環体を有し、
前記環体がシームレスである
請求項１から請求項６のうちいずれか一項に記載のハンドストラップ。
【発明の詳細な説明】
【技術分野】
【０００１】
この発明は、携行品に取ら付けられて持ち運びに利用されるハンドストラップに関する。
【背景技術】
【０００２】
ハンドストラップは、取り付け対象たる携行品に取り付けられる取り付け部材と、手に保持するストラップ本体を備えている。取り付け部材は環状の紐や環状の金具、フックなどで構成され、ストラップ本体は織物や樹脂などからなるテープ状の材料を環状にして構成されていた。
【０００３】
取り付け部材とストラップ本体は互いに結合一体化される必要があるが、取り付け部材とストラップ本体の結合は、古くはごく簡単に、ストラップ本体の端部を取り付け部材に通してから環状にし、縫着したり金具留めしたりして結合していた。
【０００４】
このほか、例えば下記特許文献１、２に開示されているように、取り付け部材とストラップ本体を樹脂成形で一体化することも知られている。
【０００５】
取り付け部材とストラップ本体との結合を樹脂成形で行うと、ストラップ本体を縫ったり金具で止めたりする場合と異なり、依然つなぎ目があるものの、つなぎ目という印象が低減されて比較的良好な外観を得られるのでよい。
【０００６】
しかし、ストラップ本体が樹脂部分から抜けるおそれがあり、引張強度や耐久性の点で十分さを得にくいため、取り付け部材とストラップ本体を樹脂成形で一体化したストラップは、例えば携帯魔法瓶やカメラなどのような重量のある携行品には採用できなかった。
【先行技術文献】
【特許文献】
【０００７】
【特許文献１】特公平６−１０４０８３号公報
【特許文献２】登録実用新案第３０６８８６１号公報
【発明の概要】
【発明が解決しようとする課題】
【０００８】
そこで、この発明は、ストラップ本体からつなぎ目をなくせる上に、重量のある携行品にも採用できるようすることを主な目的とする。
【課題を解決するための手段】
【０００９】
そのための手段は、取り付け対象に取り付けられる取り付け部材と、手に保持されるストラップ本体を備えたハンドストラップであって、前記ストラップ本体が、前記取り付け部材側に位置する基端部と、前記取り付け部材と反対側に位置する把持部で構成され、前記基端部の前記取り付け部材側の一端に、前記取り付け部材と反対側の他端から入れた前記取り付け部材を保持する保持部が形成されるとともに、前記他端に突片部が形成され、前記把持部が、前記突片部に対して一体成形されたハンドストラップである。
【００１０】
この構成では、取り付け部材を保持する基端部に把持部が一体成形されており、取り付け部材とストラップ本体は直接に結合され、基端部と把持部からなるストラップ本体は外観上単体である。
【発明の効果】
【００１１】
以上のように、この発明によれば、ストラップ本体は外観上単体であり、ストラップ本体からつなぎ目をなくすことができた。また、取り付け部材とストラップ本体は直接に結合されており他の部材は不要であるので、強度の高い結合が可能である。しかもストラップ本体は、基端部の突片部を包み込む一体成形によって構成されるので、引張強度と耐久性を高め、重量のある携行品にも採用可能にすることができる。
【図面の簡単な説明】
【００１２】
【図１】ハンドストラップの斜視図。
【図２】ハンドストラップの正面図と側面図と断面図。
【図３】ハンドストラップの構成部分の分離状態を示す斜視図。
【図４】基端部の正面図と側面図と断面図。
【図５】取り付け部材とストラップ本体の結合部分を示す正面図。
【図６】製造工程を示す説明図。
【図７】ハンドストラップの使用状態を示す斜視図。
【発明を実施するための形態】
【００１３】
この発明を実施するための一形態を、以下図面を用いて説明する。
【００１４】
図１に、ハンドストラップ１１の斜視図を示す。このハンドストラップ１１は、つなぎ目がなく、重量のある携行品にも使用できるものである。
【００１５】
ハンドストラップ１１は、取り付け対象の携行品に取り付けられる取り付け部材１２と、手に保持されるストラップ本体１３を備えている。ストラップ本体１３は、図１に仮想線で示したように、変形可能な柔軟性と可撓性を有しており、持ちやすく構成されている。ハンドストラップ１１の正面図である図２の（ａ）、側面図である図２の（ｂ）に示したように、ストラップ本体１３は正面視形状と側面視形状において左右対称な形状をなし、外観上単体であり、機能の面からも一つの部材である。
【００１６】
このストラップ本体１３は、図２（ｂ）のＡ−Ａ断面図である図２の（ｃ）に示したように、二重成形により形成される。つまり、図３に示したように、取り付け部材１２と、ストラップ本体１３における取り付け部材１２側に位置する基端部３１と、ストラップ本体１３における取り付け部材１２と反対側に位置する把持部３２の３つの部分から構成されている。
【００１７】
取り付け部材１２は、フック体２１と環体２２で構成され、環体２２は、フック体２１の下端に垂設された軸部２３を中心に回転可能に結合一体化されている。環体２２の形状は半円形の輪郭形状であり、上端にはフック体２１の軸部２３を挿通する被挿通部２４を有し、下端にはストラップ本体１３に保持される直線部２５を有する。環体２２は単体、つまり１個の部材であるとともに、直線部２５を含めてシームレス、つまり継ぎ目や突き当て部分のない一体構造である。
【００１８】
取り付け部材１２は、金属のほか合成樹脂で形成することもできる。
【００１９】
ストラップ本体１３を構成する基端部３１は、合成樹脂製、特に硬質の合成樹脂製であり、予め形成されている。一方、同じストラップ本体１３を構成する把持部３２は、柔軟性と可撓性を兼ね備える軟質の合成樹脂製であり、基端部３１の一部に被せて成形されることにより形成される。
【００２０】
図４に基端部３１の詳細を示す。図４の（ａ）が基端部３１の正面図、（ｂ）が側面図、（ｃ）がＢ−Ｂ断面図である。基端部３１は、正面視形状及び側面視形状において左右対称な形状であり、取り付け部材１２側の一端（図面では上方の端。以下同じ）に、取り付け部材１２と反対側の他端（図面では下方の端。以下同じ）から入れた取り付け部材１２を保持する保持部３３が形成されるとともに、他端に突片部３４が形成されている。具体的には、基端部３１は、他端側を二股状に開いた形状であり、正面視逆Ｖ字状又は逆Ｕ字状に形成されている。
【００２１】
基端部３１の一端側の部分は、半円弧状の湾曲部３５と、湾曲部３５の両端から他端側に延びる直線状の延設部３６を有し、十分な強度をもつ厚さに形成されている。湾曲部３５の中心が前述の保持部３３であり、保持部３３が環体２２の直線部２５を保持する。保持部３３の大きさは、図５に示したように、直線部２５を遊嵌する大きさの円形である。
【００２２】
基端部３１における２本の延設部３６の間、つまり保持部３３よりも他端側の位置に、取り付け部材１２の直線部２５を入れる導入路３７が形成されている。導入路３７のうち他端側の部分は、保持部３３に保持する直線部２５の直径よりも幅広である。
【００２３】
導入路３７の少なくとも一部、具体的には保持部３３に寄った部位には、保持した取り付け部材１２の脱落を阻止するため、直線部２５の直径よりも幅狭となる隘路部３７ａが形成されている。隘路部３７ａは、２本の延設部３６の相対向する内側面にせり出し部３６ａを形成することで形成される。せり出し部３６ａの他端、つまり直線部２５の挿入側の端には、傾斜面３６ｂが形成されている。
【００２４】
延設部３６の他端には、図４に示したように、幅と厚みがそれより一端側の部位よりも一回り小さい小径部３６ｃが形成されている。前述の突片部３４はこの小径部３６ｃから真っ直ぐに形成される。つまり、基端部３１を構成する２本の延設部３６にそれぞれ突片部３４が形成されている。
【００２５】
突片部３４は、小径部３６ｃよりも幅と厚みが小さい板状であり、他端は側面視半円形に丸く形成されている。突片部３４は全体が前述の把持部３２に包み込まれる部分であり、貫通する切欠き３８と、表面から突出する突起３９が形成されている。
【００２６】
切欠き３８は、突片部３４の長手方向に長い側面視長円形に形成されており、突片部３４の長手方向に２個並べて形成されている。突起３９も２個、突片部３４の内側面に突片部３４の長手方向に並べて形成されている。２個の突起３９のうちの１個の第１突起３９ａは、２個の切欠き３８のうち一方の切欠き３８ａと結合された態様で形成されている。つまり、第１突起３９ａは、切欠き３８ａを横切って形成され、突片部３４の幅全体に延びている。他方の第２突起３９ｂは、突片部３４の内側面における切欠き３８同士の間に形成され、第１突起３９ａよりも短く形成されている。
【００２７】
このような構成の基端部３１は、図６の（ａ）に示したように金型５１を用いて成形される。
【００２８】
ハンドストラップ１１の製造工程の説明図である図６に示したように、成形された基端部３１に対して取り付け部材１２を組み付けてから（図６の（ｂ））、別の金型５２を用いて把持部３２の成形を行う（図６の（ｃ））。つまり把持部３２は基端部３１の突片部３４に対して一体成形される。なお、基端部３１の導入路３７には隘路部３７ａが形成されているが、基端部３１の成形後、樹脂の柔らかいうちであれば、取り付け部材１２の直線部２５を、隘路部３７ａを通して保持部３３に嵌め込むことができる。
【００２９】
把持部３２は、図２、図３に示したように正面視形状及び側面視形状において左右対称な形状であり、閉じられた偏平な環状である。把持部３２の中心の穴部４１は、例えば手を入れることができる程度の大きさなど適宜の大きさに形成される。
【００３０】
把持部３２の厚さは前述の基端部３１の湾曲部３５及び延設部３６と同じ厚さに形成され、基端部３１側の一端よりも他端側がやや大きく湾曲している。また、一端には突片部３４に対応して別れる２つの分岐部４２を有しており、分岐部４２に連続して、取り付け部材１２を保持した保持部３３の対向部位、換言すれば把持部３２が形成されたときに基端部３１の導入路３７に対応する部位に、導入路３７を閉じる閉鎖部４３が形成されている。
【００３１】
このような形状の把持部３２を基端部３１に対して一体成形するとき、キャビティに充填されて把持部３２となる樹脂は、基端部３１の切欠き３８にも入り込むとともに突起３９を包み込んで基端部３１と一体化する。
【００３２】
以上のように構成されたハンドストラップ１１は、取り付け部材１２を取り付け対象の携行品に取り付けて使用される。図７は、携行品の一例としての携帯魔法瓶５５に取り付けた状態の斜視図である。
【００３３】
ハンドストラップ１１は、取り付け部材１２を保持する基端部３１に把持部３２が一体成形されており、ストラップ本体１３の外観は単一物品の外観である。つまり、つなぎ目がなく、美麗で斬新な意匠を得ることができる。
【００３４】
しかもストラップ本体１３は、基端部３１の突片部３４を包み込む一体成形で構成されるので、引張強度と耐久性を高めることができる。この結果、これまで不可能であった重量のある携行品にも使用することができる。携行品が携帯魔法瓶５５である場合、例えば金属製真空二重瓶で容量１リットル以上の大容量のものに使用することができる。
【００３５】
高い強度は、取り付け部材１２とストラップ本体１３を直接に結合しており、結合のための他の部材を不要としていることと基端部３１が硬質の合成樹脂製であることからも得られる。
【００３６】
特に、把持部３２に包み込まれて一体となる突片部３４に、切欠き３８と突起３９を有しているので、高い結合強度が得られる。しかも、切欠き３８と突起３９は複数ずつ備えており、一つの切欠き３８ａと突起３９（第１突起３９ａ）は結合させて配設しているので、この点からも結合強度を高められる。
【００３７】
また、取り付け部材１２の環体２２がシームレスであるので、環体２２が変形してつなぎ目や突き合わせ部分が外れて、ストラップ本体１３が取り付け部材１２から分離してしまうことはなく、耐久性も良い。
【００３８】
このように高い強度をもちながらも、把持部３２が柔軟性と可撓性を兼ね備えた軟質の合成樹脂で形成されており、手などを入れられる穴部４１を有する閉じられた偏平な環状であるので、手を入れても握っても持つことができる。このため、手に持ちやすく扱いやすい。
【００３９】
さらに、基端部３１が他端側を二股状に開いた形状であり、保持部３３よりも他端側の位置に取り付け部材１２の直線部２５を嵌め入れる導入路３７が形成されているので、把持部３２の成形前に基端部３１に取り付け部材１２を嵌める作業が容易に行え、作業性は良い。
【００４０】
加えて、導入路３７の保持部３３側に、保持した取り付け部材１２の脱落を阻止する隘路部３７ａが形成されており、取り付け部材１２の直線部２５を保持部３３に保持した状態を維持できるようにしているので、取り付け部材１２とストラップ本体１３との位置関係をほぼ相対回転のみに抑制する抑えることができる。この点からもハンドストラップ１１は扱い易い。
【００４１】
以上はこの発明を実施するための一形態であって、この発明は前述の構成のみに限定されるものではなく、その他の構成を採用することもできる。
【００４２】
例えば、基端部３１は軟質の合成樹脂で構成してもよい。
【００４３】
前述の説明においてストラップ本体１３の色については言及しなかったが、基端部３１と把持部３２を同一色の樹脂で形成することはもちろん、異なる色の樹脂で形成することもできる。
【００４４】
ストラップ本体１３の形状は、前述のような偏平でなくても、環状でなくてもよく、正面視や側面視における左右対称の形状でなくてもよい。携行品やデザインに応じて適宜設定できる。
【符号の説明】
【００４５】
１１…ハンドストラップ
１２…取り付け部材
１３…ストラップ本体
２２…環体
３１…基端部
３２…把持部
３３…保持部
３４…突片部
３７…導入路
３７ａ…隘路部
３８…切欠き
３９…突起
【図１】
2019118415.tif 000003
【図２】
2019118415.tif 000004
【図３】
2019118415.tif 000005
【図４】
2019118415.tif 000006
【図５】
2019118415.tif 000007
【図６】
2019118415.tif 000008
【図７】
2019118415.tif 000009